(57)【要約】【課題】保護パネルを必要とすることなく、機器の大型化を回避しつつ外部静圧に対する強度を維持する。【解決手段】ＬＣＤ基板４２、ＬＣＤ−ＦＰＣ４１ａはいずれも、ＬＣＤディスプレイ４１と後ケース４６との間に配置される。後ケース４６は、ＬＣＤディスプレイ４１に向けて突出した少なくとも１つの支持体（４６ｂ、４６ａｃ）を有する。この支持体は、ＬＣＤディスプレイ４１の表示面（表示領域４１ｃ）に直交する方向（Ｆｚ方向）から見て、ＬＣＤ基板４２またはＬＣＤ−ＦＰＣ４１ａの外郭の内側領域と重なるように形成される。【選択図】図３
2020020977.tif 000002
【特許請求の範囲】
【請求項１】
画像を表示する表示モジュールと、
前記表示モジュールの表示面とは反対側の面を覆う外装カバーと、
いずれも前記表示モジュールと前記外装カバーとの間に配置された第１基板及び第２基板と、を有し、
前記外装カバーは、前記表示モジュールの前記表示面に直交する方向から見て前記第１基板または前記第２基板の外郭の内側領域と重なるように、前記表示モジュールに向けて突出した少なくとも１つの支持体を有することを特徴とする電子機器。
【請求項２】
前記支持体は、前記第１基板の外郭の内側領域において前記表示モジュールに向けて突出した第１の支持体を含み、
前記第１基板には貫通孔が形成され、
前記第１の支持体は、前記貫通孔を介して前記表示モジュールと対向することを特徴とする請求項１に記載の電子機器。
【請求項３】
前記表示面に直交する方向において、前記第１の支持体の先端の方が、前記第１基板よりも前記表示モジュールに近いことを特徴とする請求項２に記載の電子機器。
【請求項４】
前記第１基板は、表示回路基板であることを特徴とする請求項２または３に記載の電子機器。
【請求項５】
前記支持体は、前記表示モジュールの前記表示面に直交する方向から見て前記第２基板と重なる領域において前記表示モジュールに向けて突出した第２の支持体を含み、
前記第２の支持体は、前記表示モジュールに向けて突出するリブ部と、前記リブ部の先端から、前記リブ部に直交する方向に延設される延設部とを有し、
前記延設部は、前記第２基板を介して前記表示モジュールと対向することを特徴とする請求項１乃至４のいずれか１項に記載の電子機器。
【請求項６】
前記延設部における前記表示モジュールと対向する延設方向の幅は、前記表示面に直交する方向における前記外装カバーの厚みより大きいことを特徴とする請求項５に記載の電子機器。
【請求項７】
前記第２基板は、前記第１基板と前記表示モジュールとを接続するフレキシブル基板であることを特徴とする請求項５または６に記載の電子機器。
【請求項８】
前記外装カバーは、前記第２の支持体を１辺として含み前記第１基板の周囲を囲う矩形支持部と、前記矩形支持部の対角を結ぶ対角支持部とを含むことを特徴とする請求項５乃至７のいずれか１項に記載の電子機器。
【請求項９】
前記矩形支持部と前記対角支持部とにより区切られる領域に、電子部品が配置されることを特徴とする請求項８に記載の電子機器。
【請求項１０】
前記表示面に直交する方向から見て、前記電子部品と前記対角支持部とが重なることを特徴とする請求項９に記載の電子機器。
【請求項１１】
機器本体と、
前記機器本体に対してヒンジ部を介して回動自在に接続された表示ユニットと、を有し、
前記表示モジュール、前記第１基板及び前記第２基板は前記表示ユニットに含まれ、
前記第１基板は、前記機器本体に設けられた第３の基板に電気的に接続するための第１コネクタと、前記表示モジュールに電気的に接続するための第２コネクタとを有し、
前記第１コネクタは、前記第１基板における前記ヒンジ部に近い側の端部に配置され、前記第２コネクタは、前記第１基板における前記ヒンジ部から遠い側の端部に配置され、
前記貫通孔は、前記第１コネクタと前記第２コネクタとの間に位置することを特徴とする請求項２に記載の電子機器。
【請求項１２】
前記第１コネクタと前記第２コネクタのコネクタ端子のピッチ方向は略平行であり、
前記ピッチ方向における前記第１コネクタの第１の長さよりも、前記ピッチ方向における前記第２コネクタの第２の長さの方が長く、
前記ピッチ方向における前記貫通孔のサイズは、前記第１の長さと前記第２の長さとの差分より小さいことを特徴とする請求項１１に記載の電子機器。
【請求項１３】
撮像部と、
前記撮像部で撮像された画像を前記表示モジュールに表示させる制御部と、
を有することを特徴とする請求項１乃至１２のいずれか１項に記載の電子機器。
【発明の詳細な説明】
【技術分野】
【０００１】
本発明は、表示機能を有する電子機器に関する。
【背景技術】
【０００２】
従来、デジタルカメラ、ビデオカメラ、携帯電話機等の電子機器において、液晶ディスプレイ等の表示部を有するものがある。一般に、液晶ディスプレイは、液晶パネルとその背面から液晶パネルを照明するバックライトで構成され、それらをベゼル及びバックライトフレームによって保持した構造となっている。液晶パネルにおける２枚のガラスの間に液晶が封入されている。
【０００３】
また、表示部を有する表示ユニットが機器本体に対して回動（開閉）可能に支持されるものもある。さらに表示ユニットを全開状態で開閉方向とは異なる方向に回動（回転）可能に構成することで、様々な角度から表示部を見ることを可能にしたバリアングル開閉機構を搭載したものもある。この種の機構を採用する電子機器では、液晶パネルの１辺に設けられた液晶ＦＰＣ（フレキシブル基板）から、映像信号が送られ、その信号に応じて画面が表示される。
【０００４】
可動式の表示ユニットを備えた電子機器では、一般的に液晶ＦＰＣは１８０度折り曲げられ、液晶ディスプレイの表示面とは反対側で、液晶ディスプレイの略中央部に配置した液晶回路基板と接続される。さらに液晶回路基板と機器本体に収められたメイン回路基板がケーブルハーネスやＦＰＣ等で接続される。
【０００５】
ところで、近年、電子機器に搭載される表示部は、液晶パネルのガラス厚を薄くすることで薄型化を達成している反面、表示面の略中央部に外部静圧を受けると大きく撓み、液晶ディスプレイが割れやすいという問題がある。そのため、外部静圧を受けたときの効果的な支持構造を設けることが求められる。
【０００６】
ところが、可動式の表示ユニットを備えた電子機器では特に、液晶ディスプレイの表示面とは反対側で略中央部には液晶回路基板が配置される。そのため、表示面側から表示面に直交する方向の外部静圧を受けたときの支持構造を配置するのが困難である。また、表示モジュールの表示面とは反対側の面を外装カバーで覆い、全体が薄く構成される表示ユニットにおいても同様の課題がある。
【０００７】
特許文献１の電子機器では、液晶ディスプレイの割れを抑制するためにサファイアガラスやアクリル等で形成された保護パネルが別途、液晶ディスプレイの表示面側に配置されている。さらに、保護パネルが液晶ディスプレイの外形サイズよりも延出し、その延出した箇所を支持構造体が受けている。
【先行技術文献】
【特許文献】
【０００８】
【特許文献１】特許第６２７９３１４号公報
【発明の概要】
【発明が解決しようとする課題】
【０００９】
しかしながら、特許文献１の電子機器では、保護パネルを別途設ける必要があるので、部品点数が増えコストが上がる。さらに、保護パネルを液晶ディスプレイの外形サイズよりも延出するので、表示ユニットの外形サイズが大型化してしまう。
【００１０】
本発明は、保護パネルを必要とすることなく、機器の大型化を回避しつつ外部静圧に対する強度を維持することを目的とする。
【課題を解決するための手段】
【００１１】
上記目的を達成するために本発明は、画像を表示する表示モジュールと、前記表示モジュールの表示面とは反対側の面を覆う外装カバーと、いずれも前記表示モジュールと前記外装カバーとの間に配置された第１基板及び第２基板と、を有し、前記外装カバーは、前記表示モジュールの前記表示面に直交する方向から見て前記第１基板または前記第２基板の外郭の内側領域と重なるように、前記表示モジュールに向けて突出した少なくとも１つの支持体を有することを特徴とする。
【発明の効果】
【００１２】
本発明によれば、保護パネルを必要とすることなく、機器の大型化を回避しつつ外部静圧に対する強度を維持することができる。
【図面の簡単な説明】
【００１３】
【図１】電子機器の斜視図である。
【図２】表示ユニットを全開状態としたデジタルカメラを背面側から見た斜視図である。
【図３】表示ユニットの分解斜視図である。
【図４】組立後の表示ユニット及び２軸ヒンジ部の側面図、図４（ａ）のＡ−Ａ線に沿う断面図である。
【図５】組立後の表示ユニット及び２軸ヒンジ部の正面図、図５（ａ）のＢ−Ｂ線、Ｃ−Ｃ線に沿う断面図である。
【発明を実施するための形態】
【００１４】
以下、図面を参照して本発明の実施の形態を説明する。
【００１５】
図１（ａ）、（ｂ）は、本発明の一実施の形態に係る電子機器の斜視図である。本電子機器として、撮像装置としてのデジタルカメラを例示する。このデジタルカメラは、撮像部であるカメラ本体１（機器本体）と、撮影レンズ鏡筒２と、表示ユニット４とを有する。
【００１６】
カメラ本体１には、被写体像を撮像素子２１（図２）に結像させる撮影レンズ鏡筒２が固定されている。撮影レンズ鏡筒２は、沈胴式のズームレンズであり、撮影レンズ、ズーム機構、シャッタ機構及びフォーカス機構等が搭載された、公知の鏡筒である。なお、撮影レンズ鏡筒２は、カメラ本体１に対して着脱可能であってもよい。以下、カメラ本体１の方向については、ＸＹＺ座標系を基準に呼称する。図１（ａ）、（ｂ）において、＋Ｚ方向が被写体方向または正面側である。＋Ｙ方向が上方である。背面から見て＋Ｘ方向が右方となる。従って、図１（ａ）は正面側の斜視図、図１（ｂ）は背面側の斜視図である。後述するように、表示ユニット４はカメラ本体１に対して収納状態から展開状態まで回動自在であり、図１（ｂ）では展開状態が示されている。
【００１７】
カメラ本体１の正面側には、フロントカバーユニット３が設けられている。フロントカバーユニット３には、カメラ正面を覆う外装部材である樹脂製のフロントカバー３１のほか、フレームアシストボタン３２、撮影者がカメラを把持した際に指掛りとなるグリップ部材として機能するフロントグリップ３３が設けられる。撮影者は、超望遠撮影時に被写体が表示画面から外れてしまっても、フレームアシストボタン３２を押すことで、撮影レンズ鏡筒２を一旦、広角側に移動させて周辺領域を表示させることができる。これにより、画角から外れてしまった被写体の再捕捉が容易になる。
【００１８】
カメラ本体１の背面には、撮影画像を表示するバリアングル型ＬＣＤ表示ユニット（以下、単に「表示ユニット」と記す）４と、リアカバーユニット５とが設けられる。表示ユニット４は、ＬＣＤディスプレイ４１を有し、２軸ヒンジ部６によってカメラ本体と接続される。表示ユニット４は、撮影者の操作によって、カメラ本体１に対して開閉軸Ｙ１を中心として約１８０°回動する。撮影者は、表示ユニット４を、カメラ本体１に対して、回転軸Ｘ１を中心として図１（ｂ）の−Ｘ方向から見て反時計回りに約１８０°、時計回りに約９０°回転させることが可能である。すなわち、表示ユニット４は、カメラ本体１の非グリップ側（背面から見て左側）に開いた状態で回転軸Ｘ１を中心に回動可能である。カメラ本体１と表示ユニット４とが２軸ヒンジ部６により連結されることで、撮影者は撮影を行う体勢に応じて表示ユニットの角度を自由に変えることができ、ハイアングルやローアングルでも被写体を表示ユニット４で確認しながら撮影を行うことができる。
【００１９】
ここで、図１（ｂ）に示すように、表示ユニット４は２軸支持されるので、表示ユニット４自体の方向を呼称するとき、Ｆｘ、Ｆｙ、Ｆｚ座標系を用いる。例えば、２軸ヒンジ部６に対して、表示ユニット４の自由端部の方向がＦｘ方向である。ＬＣＤディスプレイ４１の表示面の法線方向をＦｚ方向とする。図１（ｂ）に示す表示ユニット４の姿勢における上方をＦｙ方向とする。
【００２０】
リアカバーユニット５には、カメラ背面を覆う外装部材である樹脂製のリアカバー５１のほか、各種操作ボタン５２、撮影者がカメラを把持した際に指掛りとなるグリップ部材として機能するリアグリップ５３が設けられる。カメラ本体１の上面には、樹脂製のトップカバーユニット７が設けられる。トップカバーユニット７には、電源ＯＮ（オン）／ＯＦＦ（オフ）の操作を行うための電源ボタン７１、撮影動作を開始するためのレリーズボタン７２、変倍操作のためのズームレバー７３、撮影モードを切替るためのモードダイアル７４が設けられる。カメラ本体１の上面中央部には、撮影時に被写体の明るさが足りない時に発光するストロボユニット７５が設けられる。
【００２１】
図２は、表示ユニット４を全開状態とした本デジタルカメラを背面側から見た斜視図である。図２では、撮像素子２１からＬＣＤディスプレイ４１までの間のＦＰＣ（フレキシブル配線基板）等による配線を説明するために、リアカバーユニット５を外し、表示ユニット４については外装部材を破線で表示し、ＬＣＤディスプレイ４１は非表示としている。
【００２２】
メインシャーシ８は、カメラ背面側に配置され、カメラ全体の構造躯体となる。撮影レンズ鏡筒２は、メインシャーシ８にビスを用いて締結されている。撮影レンズ鏡筒２の後方には、光学像を光電変換して画像データを生成するＣＣＤやＣＭＯＳイメージセンサ等の撮像素子２１がセンサＦＰＣ２２に実装される。カメラ本体１の内部には、中央処理装置（制御部）であるＣＰＵ９ａや各々のフレキシブル配線基板を電気的に接続するためのコネクタを備えるメイン基板９（第３の基板）が配置される。センサＦＰＣ２２がメイン基板９に接続される。
【００２３】
表示ユニット４には表示回路基板であるＬＣＤ基板４２（第１基板）が内蔵される。ＬＣＤ基板４２には、コネクタ４２ａ、４２ｂ、４２ｃが実装される。細線同軸線群からなるケーブルハーネス４３がＬＣＤ基板４２のコネクタ４２ａと接続される。ケーブルハーネス４３は、２軸ヒンジ部６に設けられた２つの孔部（不図示）に挿通され、カメラ本体１の内部のメイン基板９に備えたコネクタ９ｃに接続される。
【００２４】
ＬＣＤディスプレイ４１からＦＰＣが２つ延出している。２つのＦＰＣのうち１つがＬＣＤ−ＦＰＣ４１ａ（第２基板）で、もう１つがバックライトＦＰＣ４１ｂである。これら２つのＦＰＣ４１ａ、４１ｂは、それぞれ、ＬＣＤ基板４２のコネクタ４２ｂ、４２ｃに接続される。
【００２５】
図３は、表示ユニット４の分解斜視図である。表示ユニット４は、前ケース４４、ＬＣＤディスプレイ４１、ホルダー板金４５、ＬＣＤ基板４２、後ケース４６等を有する。表示ユニット４において、＋Ｆｚ側を正面側、−Ｆｚ側を背面側とも称する。
【００２６】
前ケース４４及び後ケース４６は絶縁性を有する樹脂部材で成り、射出成形によって形成される外装カバーである。前ケース４４と後ケース４６を組み合わせることによって、表示ユニット４の外観が構成される。前ケース４４には、ＬＣＤディスプレイ４１の表示面となる表示領域４１ｃからオフセットされた開口部４４ａが設けられている。後ケース４６は、ＬＣＤディスプレイ４１の表示面とは反対側の面を覆い、表示ユニット４の背面を構成する。後ケース４６の非外観面側（＋Ｆｚ側）には矩形支持部４６ａが形成されている。矩形支持部４６ａの外形は、ＬＣＤディスプレイ４１の表示領域４１ｃの外形と略同一である。後ケース４６には、矩形支持部４６ａの外郭の内側領域において、矩形支持部４６ａの略中央部に円筒支持部４６ｂ（第１の支持体）が形成されている。また、矩形支持部４６ａの対角を結ぶ対角支持部４６ｃが形成されている。
【００２７】
２軸ヒンジ部６は、主としてベース板金６１、開閉板金６２、回転板金６３から構成されており、強度が高く導電性を有する金属部材から成る。回転板金６３にはビス孔６３ａが形成される。回転板金６３は、前ケース４４と後ケース４６とに挟み込まれた状態で、ビス孔６３ａ介して外装ビス４７ａによって前ケース４４及び後ケース４６に締結される。２軸ヒンジ部６はこの他、表示ユニット４の開閉（回動）時に摺動トルクを発生させる皿バネや、開閉・回動を規制するためのストッパ部材等を有する。
【００２８】
ＬＣＤディスプレイ４１は、ＬＣＤパネルとその背面からＬＣＤパネルを照明するバックライトとで構成され、それらがベゼル及びバックライトフレームによって保持された、公知の構成のディスプレイである。ＬＣＤパネルは２枚のガラスの間に液晶が封入されており、ＬＣＤパネルの１辺に設けられたＬＣＤ−ＦＰＣ４１ａとバックライトＦＰＣ４１ｂは、それぞれ、コネクタ４２ｂ、４２ｃを介してＬＣＤディスプレイ４１とＬＣＤ基板４２とを電気的に接続する。
【００２９】
ＬＣＤ基板４２には、コネクタ４２ａ、４２ｂ、４２ｃのほか、ＬＣＤパネル及びバックライトを駆動するためのドライバや周辺回路が実装される。ＬＣＤ基板４２には、コネクタ４２ａとコネクタ４２ｂとの間に、後ケース４６の円筒支持部４６ｂが挿通される貫通孔４２ｄが形成される。ＬＣＤ基板４２は、２軸ヒンジ部６の孔部に挿通されるケーブルハーネス４３を経由して、カメラ本体１内部のメイン基板９へと電気的に接続される。ケーブルハーネス４３により、メイン基板９からＬＣＤ基板４２へ電源供給および表示内容の信号供給が行われる。
【００３０】
ホルダー板金４５は導電性を有する金属部材から成る。ホルダー板金４５には、ＬＣＤディスプレイ４１の側面を包むように立ち壁部４５ａが形成され、立ち壁部４５ａでＬＣＤディスプレイ４１を保持する。立ち壁部４５ａにはビス孔４５ｂが形成されている。立ち壁部４５ａは、表示ユニット４の前ケース４４と後ケース４６とに挟み込まれた状態でビス孔４５ｂを介して外装ビス４７ｂにて前ケース４４及び後ケース４６に締結される。ホルダー板金４５における、ＬＣＤディスプレイ４１が配置される面とは反対の側には、ＬＣＤ基板４２が取り付けられるように、ＬＣＤ基板４２に対応する取り付け部が一体的に形成されている。
【００３１】
外装ビス４７ａは、後ケース４６の矩形支持部４６ａの上側支持部４６ａａの略延長線上と下側支持部４６ａｂの略延長線上とに配置される。また、外装ビス４７ｂは、後ケース４６の矩形支持部４６ａの右側支持部４６ａｃの略延長線上に配置される。
【００３２】
以上の部品で表示ユニット４は構成され、コストを考慮し、ＬＣＤディスプレイ４１の前面には保護パネル等の部品を配置しない構成となっている。
【００３３】
図４（ａ）は、組立後の表示ユニット４及び２軸ヒンジ部６の側面図である。図４（ｂ）は、図４（ａ）のＡ−Ａ線に沿う断面図である。
【００３４】
後ケース４６は、Ｆｚ方向から見てＬＣＤ基板４２またはＬＣＤ−ＦＰＣ４１ａと重なるように、ＬＣＤディスプレイ４１に向けて（＋Ｆｚ方向へ）突出した少なくとも１つの支持体を有する。この支持体が、外部静圧に対する支持構造となる。詳細は後述するが、この支持体には、円筒支持部４６ｂ、右側支持部４６ａｃが含まれる。
【００３５】
ＬＣＤディスプレイ４１の背面側には、ホルダー板金４５を介してＬＣＤ基板４２が配置される。コネクタ４２ａは、Ｆｘ方向におけるＬＣＤ基板４２の２軸ヒンジ部６に近い側の端部に配設される。コネクタ４２ｂ、４２ｃは、Ｆｘ方向におけるＬＣＤ基板４２の２軸ヒンジ部６側とは反対側（２軸ヒンジ部６から遠い側）の端部に配設される。また、Ｆｘ方向におけるＬＣＤディスプレイ４１の２軸ヒンジ部６とは反対側の端部から、ＬＣＤ−ＦＰＣ４１ａとバックライトＦＰＣ４１ｂとが延出している。これら２つのＦＰＣ４１ａ、４１ｂは、ＬＣＤディスプレイ４１の外形から延出した直後に１８０度屈曲され、それぞれ、ＬＣＤ基板４２に配設されたコネクタ４２ｂ、４２ｃに接続される。
【００３６】
Ｆｘ方向において、コネクタ４２ａとコネクタ４２ｂ、４２ｃとは、ＬＣＤ基板４２の離れた（対向する）端部に配置されるので、Ｆｚ方向においてＬＣＤ基板４２は、ＬＣＤディスプレイの表示領域４１ｃ（図３参照）の中央部と投影上重なる。従来は、ＬＣＤ基板４２と投影上重なった領域には、外部静圧を受けるための支持部が配置されなかったため、表示領域の中央部近傍で外部静圧を受けた際にＬＣＤディスプレイ４１が大きく撓むおそれがあった。本実施の形態では、主に円筒支持部４６ｂを設けたことで、表示領域４１ｃの中央部近傍で外部静圧に抗する。
【００３７】
矩形支持部４６ａは、ＬＣＤ基板４２の周囲を囲うように連続したリブ形状に形成されている。さらに矩形支持部４６ａは、表示領域４１ｃの外形と略同一になるような位置・形状に形成される。矩形支持部４６ａの略中央部には、円筒支持部４６ｂが配置され、ＬＣＤ基板４２には、円筒支持部４６ｂに対応する位置に貫通孔４２ｄが形成される。この貫通孔４２ｄは、ＬＣＤ基板４２の取り付け位置誤差を考慮して、円筒支持部４６ｂよりも少し大きく設定される。このように、本実施の形態では、矩形支持部４６ａに加え、円筒支持部４６ｂを追加できた。これにより、ＬＣＤディスプレイ４１が表示領域４１ｃの略中央部で外部静圧を受けてもＬＣＤディスプレイ４１は撓みづらく、ＬＣＤディスプレイの変形や割れに強い支持構造となっている。
【００３８】
各コネクタ４２ａ、４２ｂ、４２ｃのコネクタ端子のピッチ方向は互いに略平行であり、Ｆｙ方向に略平行である。ＬＣＤ−ＦＰＣ４１ａの信号端子には、ＬＣＤの信号ライン、電源ライン、ＧＮＤラインの他に、ＬＣＤ基板４２内で構成されるチャージポンプ回路用のライン等が設けられる。そのため、ＬＣＤ−ＦＰＣ４１ａが接続されるコネクタ４２ｂの幅Ｈ２（コネクタ端子のピッチ方向長さ）に対して、ケーブルハーネス４３が接続されるコネクタ４２ａの幅Ｈ１の方が、チャージポンプ回路用のライン数の分だけ、広くなるのが一般的である。しかし、本実施の形態では、Ｈ１＜Ｈ２となっている。ここで、貫通孔４２ｄの直径はコネクタ幅の差分（Ｈ２−Ｈ１）程度となっている。貫通孔４２ｄは円形に限定されない。従って、コネクタ端子のピッチ方向における貫通孔４２ｄのサイズは、幅Ｈ２と幅Ｈ１との差分より小さくなるよう設計されている。これにより、ＬＣＤ基板４２の外形を大きくしないで済む。
【００３９】
対角支持部４６ｃは、矩形支持部４６ａの対角を結ぶようにリブ形状で形成される。矩形支持部４６ａと対角支持部４６ｃとで区切られる４つの領域内に、ＬＣＤ基板４２上に実装されるＦｚ方向に高さのある電子部品として、コネクタ４２ａ、４２ｂ、４２ｃや駆動回路素子４２ｅが配置される。Ｆｚ方向から見て、コネクタ４２ａ、４２ｂ、４２ｃ、駆動回路素子４２ｅが矩形支持部４６ａや対角支持部４６ｃと重ならないので、Ｆｚ方向の厚みを過大にすることなく、対角支持部４６ｃを可能な限り高く形成することができる。高さのあるリブである対角支持部４６ｃを対角線上に形成したので、表示ユニット４の角度を変更するときに生じる捩りに対する剛性を高めることができる。
【００４０】
図５（ａ）は、組立後の表示ユニット４及び２軸ヒンジ部６の正面図である。図５（ｂ）は、図５（ａ）のＢ−Ｂ線に沿う断面図である。図５（ｃ）は、図５（ａ）のＣ−Ｃ線に沿う断面図である。主に、後ケース４６に形成された支持体のＦｚ方向の高さについて説明する。
【００４１】
ＬＣＤ基板４２、ＬＣＤ−ＦＰＣ４１ａはいずれも、ＬＣＤディスプレイ４１と後ケース４６との間に配置される。ＬＣＤディスプレイ４１を保持するホルダー板金４５の複数箇所には絞り部４５ｘが形成される。ＬＣＤ基板４２は、この絞り部４５ｘに当接すると共に、ホルダー板金４５に形成された不図示の付勢部によってホルダー板金４５に保持される。後ケース４６の円筒支持部４６ｂは、ＬＣＤ基板４２の外郭の内側領域と重なるように、ＬＣＤディスプレイ４１に向けて突出している。円筒支持部４６ｂは、ＬＣＤ基板４２に形成された貫通孔４２ｄを貫通してホルダー板金４５を介してＬＣＤディスプレイ４１と対向する。ＬＣＤディスプレイ４１が外圧を受けていな自由状態においては、円筒支持部４６ｂの先端とホルダー板金４５とには適切なクリアランスが確保される。
【００４２】
後ケース４６の背面（−Ｆｚ側の面）を基準として各部の高さを考察する。図５（ｂ）に示すように、後ケース４６の背面（外面）からＬＣＤ基板４２の＋Ｆｚ側の位置までの高さはＨ４２である。高さＨ４２は、ＬＣＤ基板４２がホルダー板金の絞り部４５ｘと当接することで規定される。一方、円筒支持部４６ｂの先端はＬＣＤ基板４２よりも＋Ｆｚ方向に突出し、ＬＣＤディスプレイ４１に近い。すなわち、円筒支持部４６ｂの先端の高さＨ４６ｂは、高さＨ４２よりも高くなっている。ただしこれは必須でない。なお、矩形支持部４６ａの高さＨ４６ａは高さＨ４６ｂと共通である。このような高さ関係によって、表示領域４１ｃが正面側から外部静圧を受けたとき、その力を円筒支持部４６ｂが受け止めることができる。
【００４３】
図４（ｂ）に示すように、後ケース４６の矩形支持部４６ａは、右側支持部４６ａｃを１辺として含みＬＣＤ基板４２の周囲を囲う。組立後の表示ユニット４において、後ケース４６の右側支持部４６ａｃは、Ｆｚ方向から見てＬＣＤ−ＦＰＣ４１ａと投影上重なる領域において、ＬＣＤディスプレイ４１に向けて突出している。詳細には、図５（ｃ）に示すように、右側支持部４６ａｃは、ＬＣＤディスプレイ４１に向けて（＋Ｆｚ方向に）突出するリブ部４６ａｃ１と、リブ部４６ａｃ１の先端からリブ部４６ａｃ１に直交する方向（＋Ｆｘ方向）に延設される延設部４６ａｃ２とを有する。延設部４６ａｃ２は、ＬＣＤ−ＦＰＣ４１ａ及びホルダー板金４５を介してＬＣＤディスプレイ４１と対向する。表示領域４１ｃが正面側から外部静圧を受けたとき、その力を右側支持部４６ａｃの延設部４６ａｃ２が受け止めることができる。右側支持部４６ａｃとホルダー板金４５との間にＬＣＤ−ＦＰＣ４１ａを通す必要があることから、右側支持部４６ａｃの高さＨ４６ａｃは、高さＨ４６ａや高さＨ４６ｂより低いが、高さＨ４２とほぼ同等となっている。
【００４４】
延設部４６ａｃ２の稜線にはＲ形状４６Ｒが形成されている。後ケース４６の厚みｔ２は標準的な値である。リブ部４６ａｃ１の幅（厚み）をリブ幅ｔ１、延設部４６ａｃ２の延設方向の長さを受け幅ｔ３とする。後ケース４６は外観部品であるため、その内部領域にリブを形成する場合、通常、外観面にヒケ等の成形不良が発生しないように、リブ幅を、標準の幅（厚みｔ２）に対して０．６〜０．８程度に抑える必要がある。リブ幅が細いとリブ先端に微小なＲ形状しかつけられないため、外部静圧を受けた際に、そのリブと当接する位置でＬＣＤ−ＦＰＣ４１ａが損傷するおそれがある。一方、後ケース４６の厚みやリブ幅を大きくとると、表示ユニット４の大型化に繋がってしまう。このような理由から、従来は、ＬＣＤ−ＦＰＣ４１ａとＦｚ方向から見て投影上重なった位置には、後ケースから支持体を形成できないか、あるいは、高さの低い支持体しか形成できなかった。
【００４５】
ところが、本実施の形態では、右側支持部４６ａｃの形状を、後ケース４６の成形金型の構成上のアンダーカット形状とし、金型に傾斜コア構造を設ける。リブ部４６ａｃ１のリブ幅ｔ１は厚みｔ２に対して０．６〜０．８程度とする。このような金型構成にすることで、ヒケ等の成形不良が発生するような肉厚の箇所を生じさせずに、標準の厚みｔ２より大きい受け幅ｔ３を確保し、延設部４６ａｃ２の稜線に大きなＲ形状４６Ｒを形成することができる。これにより、ＬＣＤ−ＦＰＣ４１ａの損傷を抑制することができる。
【００４６】
このように、ＬＣＤ−ＦＰＣ４１ａと投影上重なる位置においても、＋Ｆｚ方向に高い支持部４６ａｃを形成できたので、表示領域４１ｃに外部静圧を受けたときでもＬＣＤディスプレイ４１が撓みにくくなり、ＬＣＤディスプレイ４１の割れに強い支持構造となる。
【００４７】
本実施の形態によれば、後ケース４６は、ＬＣＤディスプレイ４１に向けて突出した少なくとも１つの支持体（４６ｂ、４６ａｃ）を有する。この支持体は、ＬＣＤディスプレイ４１の表示面（表示領域４１ｃ）に直交する方向（Ｆｚ方向）から見て、ＬＣＤ基板４２（第１基板）またはＬＣＤ−ＦＰＣ４１ａ（第２基板）の外郭の内側領域と重なるように形成される。これにより、外部静圧を支持体が受け止め、ＬＣＤディスプレイ４１が撓みにくくなる。保護パネルを別途設ける必要がないので、部品点数が増えることなく、コストも抑えられる。また、支持体はＬＣＤディスプレイ４１の外形サイズよりも延出しないので、表示ユニット４の外形サイズが大型化することがない。よって、保護パネルを必要とすることなく、機器の大型化を回避しつつ外部静圧に対する強度を維持することができる。
【００４８】
具体的には、円筒支持部４６ｂは、ＬＣＤ基板４２の外郭の内側領域においてＬＣＤディスプレイ４１に向けて突出し、ＬＣＤ基板４２の貫通孔４２ｄを貫通してＬＣＤディスプレイ４１と対向する。これにより、表示ユニット４が正面側から外部静圧を受けたとき、最も撓みやすい中央部でその力を円筒支持部４６ｂが受け止めることができる。従って、外部静圧に対する強度を効果的に高めることができる。なお、円筒支持部４６ｂは、貫通孔４２ｄを貫通することは必須でなく、円筒支持部４６ｂは、貫通孔４２ｄを介してＬＣＤディスプレイ４１と対向してもよい。
【００４９】
また、後ケース４６の右側支持部４６ａｃは、Ｆｚ方向から見てＬＣＤ−ＦＰＣ４１ａと投影上重なる領域において、ＬＣＤディスプレイ４１に向けて突出し、ＬＣＤ−ＦＰＣ４１ａを介してＬＣＤディスプレイ４１と対向する。これにより、表示ユニット４が正面側から外部静圧を受けたとき、その力を右側支持部４６ａｃが受け止めることができる。しかも、リブ部４６ａｃ１のリブ幅ｔ１を抑えつつ、延設部４６ａｃ２の受け幅ｔ３を広く確保したので、後ケース４６にヒケ等の成形不良を発生させることなく、稜線に大きなＲ形状を付けることができ、ＬＣＤ−ＦＰＣ４１ａに損傷を与えにくい。
【００５０】
また、後ケース４６には対角支持部４６ｃを設けたので、表示ユニット４の捩りに対する剛性が高くなる。また、矩形支持部４６ａと対角支持部４６ｃとで区切られる領域内に電子部品を配置したので、表示ユニット４の厚み方向の寸法が大きくならずに済む。
【００５１】
なお、表示モジュールとしてＬＣＤディスプレイ４１を例示したが、これに限らず、有機ＥＬディスプレイや液晶ディスプレイ上部にカバーガラスやタッチパネルユニットを貼り合わせた構成の表示部にも本発明を適用可能である。
【００５２】
なお、表示ユニット４はカメラ本体１に対して可動する構成としたが、固定タイプであってもよい。
【００５３】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５４】
４１  ＬＣＤディスプレイ
４１ａ  ＬＣＤ−ＦＰＣ
４２  ＬＣＤ基板
４６  後ケース
４６ａ  矩形支持部
４６ｂ  円筒支持部
４６ｃ  右側支持部
【図１】
2020020977.tif 000003
【図２】
2020020977.tif 000004
【図３】
2020020977.tif 000005
【図４】
2020020977.tif 000006
【図５】
2020020977.tif 000007